(57)【要約】【課題】  従来、肌襦袢２１の襟部や袖部の縫い代が体に当たり、違和感（不快感）を生じることが多かった。【解決手段】  上衣及び下衣を有するフィット肌着において、前記上衣は肌部材及び外部材を有し、前記肌部材に体に接する側とは反対側に折り返された縫い代を設け、前記外部材に体の側に折り返された縫い代を設け、前記肌部材の縫い代と前記外部材の縫い代とを連接させたことにより縫い代が体に当たらなくなり、違和感（不快感）を生じることを少なくすることができる。【選択図】  図１
0003127865.tif 000002
【実用新案登録請求の範囲】
【請求項１】
上衣及び下衣を有するフィット肌着において、
前記上衣は肌部材及び外部材を有し、
前記肌部材に体に接する側とは反対側に折り返された縫い代を設け、
前記外部材に体の側に折り返された縫い代を設け、
前記肌部材の縫い代と前記外部材の縫い代とを連接させたことを特徴とするフィット肌着。
【請求項２】
前記上衣の袖部材を前記肌部材の縫い代と前記外部材の縫い代との間に挟んで連接させた請求項１に記載のフィット肌着。
【請求項３】
前記肌部材は第１肌部材及び第２肌部材を有し、
前記外部材は第１外部材及び第２外部材を有し、
前記第１肌部材及び前記第２肌部材に体に接する側とは反対側に折り返された縫い代を設け、
前記第１外部材及び前記第２外部材に体の側に折り返された縫い代を設け、
脇部近傍で前記第１肌部材の縫い代と前記第２肌部材の縫い代とを連接し、前記第１外部材の縫い代と前記第２外部材の縫い代とを連接させた請求項１または２に記載のフィット肌着。
【請求項４】
前記肌部材及び前記外部材に伸縮性を有する請求項１乃至３のいずれか一つに記載のフィット肌着。
【請求項５】
前記上衣の鎖骨近傍に補整パッドを設けた請求項１乃至４のいずれか一つに記載のフィット肌着。
【考案の詳細な説明】
【技術分野】
【０００１】
体を補整することができ、着心地が良く体にフィットするフィット肌着に関する。
【背景技術】
【０００２】
従来、図３に示すように、着物の中に着用する肌襦袢２１は、前側が開くようになっており、鎖骨近傍の凹みをなくすために、肌襦袢２１の左襟部２２及び右襟部２３に手ぬぐいやガーゼ２４などを縫い付けて凹みをなくし、肌襦袢２１の上から着る着物等の着用時の鎖骨近傍の皺を出にくくするようにしていた。また、この肌襦袢２１の襟部や袖部の縫い代が体に当たり、違和感（不快感）を生じることが多かった。
【考案の開示】
【考案が解決しようとする課題】
【０００３】
本考案は上記課題を鑑み、上着に皺が出にくく、縫着糸や縫い代等が体に当たらないようなフィット肌着を提供することを目的としている。
【課題を解決するための手段】
【０００４】
上記課題を解決するため、本願考案のフィット肌着は、上衣及び下衣を有するフィット肌着において、前記上衣は肌部材及び外部材を有し、前記肌部材に体に接する側とは反対側に折り返された縫い代を設け、前記外部材に体の側に折り返された縫い代を設け、前記肌部材の縫い代と前記外部材の縫い代とを連接させたことにより、縫着糸や縫い代が体に当たらなくなると共に、通気性がよくなる。
【０００５】
上記構成において、前記上衣の袖部材を前記肌部材の縫い代と前記外部材の縫い代との間に挟んで連接させたことにより、袖部で縫着糸や縫い代が体に当たらなくなる。
【０００６】
また、前記肌部材は第１肌部材及び第２肌部材を有し、前記外部材は第１外部材及び第２外部材を有し、前記第１肌部材及び前記第２肌部材に体に接する側とは反対側に折り返された縫い代を設け、前記第１外部材及び前記第２外部材に体の側に折り返された縫い代を設け、脇部近傍で前記第１肌部材の縫い代と前記第２肌部材の縫い代とを連接し、前記第１外部材の縫い代と前記第２外部材の縫い代とを連接させたことにより、脇部で縫着糸や縫い代が体に当たらなくなる。
【０００７】
また、前記肌部材及び前記外部材に伸縮性を有することにより、適度に体を締付けることが可能になる。
【０００８】
また、前記上衣の鎖骨近傍に補整パッドを設けたことにより、フィット肌着の外側に着物などを着用した際、着物の鎖骨近傍の皺が少なくなる。
【考案の効果】
【０００９】
上着の見栄えがよくなり、体に違和感を生じないようにさせることができる。
【考案を実施するための最良の形態】
【００１０】
本願考案の一実施形態を、図面を参照しつつ説明する。
【００１１】
図１は、本願考案の一実施形態にかかるフィット肌着の構成を示す図である。図２は、２重構造の図１の断面図であり、（ａ）はＭ−Ｍ矢視断面図、（ｂ）はＮ−Ｎ矢視断面図、（ｃ）はＬ−Ｌ矢視断面図である。
【００１２】
図１に示すように、フィット肌着１は上衣２及び下衣３で構成されており、上衣２は肌にフィットするように伸縮性のある素材が用いられている。フィット肌着１は、特に女性が着物を着用するときに、乳房の膨らみをある程度押えることができるように、フィット性のある（締付力のある）素材が用いられている。また、縫着部は出来るだけ折り返しが体にあたらないような加工がされており、フィット性がある素材を用いても、フィット肌着１の縫着部が体にあたり、体に不快感を与えないようにすることができるようになっている。また、同じ素材を用いた場合、更にフィット性を高めるために、生地を２重にすることにより、締付力を更に高まることができ、太り気味の人の着物着用時に、体のラインによって生じる着物の皺などをできにくくすることができる。そして、この素材に吸水性及び通気性の優れたものを用いることにより、この外側から着物を着ても、暑さを低減することができ、通気性があるため爽快感を感じることができる。生地は２重構造が一般的であるが、締付力、通気性などにより、２重以上の複数の生地を用いる多重構造にすると更に締付力が増し、通気性をよくすることができる。また、下衣３の素材としては、ペチコートのような肌にまとわりつかないものが用いられており、快適に歩行することができるようになっている。そして、下衣３は外側に着物を着用した際、肌襦袢や長襦袢のように前が開放されていないので、下衣３の下端部を着物と共に外側に容易にまくり上げることができ、用便するときの煩わしさを低減することができるようになっている。
【００１３】
図２（ａ）に示すように、上衣２の２重構造の構成は、第１肌部材１０及び第１外部材１４を有しており、袖部材６を挟み込むように構成されている。第１肌部材１０及び第１外部材１４は端部で折り返され、この状態で袖部材６が第１肌部材１０と第１外部材１４の間に挟まれるように、縫着糸８によって第１肌部材１０、第１外部材１４、袖部材６が縫着されている。これにより、体に接する部分では、縫い代７が体に当たらず、縫い代７の近傍の第１肌部材１０が体に接するため、締付力のあるフィット肌着１を着用しても縫い代７が体に食い込むことなく、また、第１肌部材１０と第１外部材１４との間に空間９を有するので通風性がよくなり、不快感がなく快適にフィット肌着１を着用することができるようになっている。
【００１４】
また、図２（ｂ）に示すように、脇部近傍では、体に接するところに肌部材である第１肌部材１０及び第２肌部材１１、その外側には第１外部材１４及び第２外部材１５が設けられている。そして、第１肌部材１０及び第２肌部材１１は外側に折り返され、縫い代１２を残して折り返されたところで縫着糸１３で縫着されている。そして、外部材は第１外部材１４及び第２外部材１５を有し、第１外部材１４及び第２外部材１５は内側に折り返され、縫い代１２を残して折り返されたところで縫着糸１６で縫着されている。これにより、体に接するところでは縫い代１２が体に食い込むことがなく、不快感がなく快適にフィット肌着を着用することができる。また、第１肌部材１０及び第２肌部材１１と第１外部材１４及び第２外部材１５との間に空間があるため、通気性がよくなり爽快感を感じることができると共に、汗が第１肌部材１０及び第２肌部材１１に付着しても、第１外部材１４及び第２外部材１５への伝わりを抑制でき、第１外部材１４及び第２外部材１５の外側に着用している着物への汗の付着を抑制することができるようになっている。
【００１５】
図２（ｃ）に示すように、図１の上衣２の頚部近傍では、体に接するところに第１肌部材１０、その外側には第１外部材１４が設けられている。第１肌部材１０は外側に折り返され、第１外部材は内側に折り返されており、縫い代１７を残して折り返されたところで縫着糸１８で縫着されている。これにより、体に接するところでは縫い代１７が体に食い込むことがなく、不快感がなく快適にフィット肌着を着用することができるようになっている。
【００１６】
また、図１に示すように、上衣の肩部近傍に補整パッド１９を取付けられるように取付手段であるマジックテープ（登録商標）２０が設けられており、補整パッド１９の略中央部に設けられたマジックテープ（登録商標）２０と係合するようになっている。これにより、体の鎖骨近傍の凹みを補整することができ、着物を外側から着用した際に鎖骨近傍の凹みによって生じる着物の皺を少なくすることができる。
【産業上の利用可能性】
【００１７】
洋服の下着などにも利用することができる。
【図面の簡単な説明】
【００１８】
【図１】本願考案の一実施形態にかかるフィット肌着の構成を示す正面図である。
【図２】２重構造の図１の断面図であり、（ａ）はＭ−Ｍ矢視断面図、（ｂ）はＮ−Ｎ矢視断面図、（ｃ）はＬ−Ｌ矢視断面図である。
【図３】従来の着物の肌着である肌襦袢の正面図である。
【符号の説明】
【００１９】
１  フィット肌着
２  上衣
３  下衣
６  袖部材
７、１２、１７  縫い代
８、１３、１６、１８  縫着糸
９  空間
１０  第１肌部材
１１  第２肌部材
１４  第１外部材
１５  第２外部材
１９  補整パッド
【図１】
0003127865.tif 000003
【図２】
0003127865.tif 000004
【図３】
0003127865.tif 000005